(57)【要約】【課題】この発明は、排水・耐震構造の優れた強固な墓を提供する。【解決手段】墓建立の基礎面２上に位置決めされた胴石４によってほぼ矩形枠状に形成された内部空間を、一対の骨堂壁５，５で左右に仕切り、左，右内部中空部２６及び中央空間部を設け、該中央空間部を納骨堂６とし、前記それぞれの内部中空部及び納骨堂６の上方を覆い板２３〜２５と墓石１７の底面部で塞ぐようにした外柵を備えた墓において、前記胴石４及び前記一対の骨堂壁５，５で左右に仕切られた左，右内部中空部及び中央空間部の上面開口を塞ぐ前記覆い板２３〜２５の上面を、後部側から前部側に向けて下向き勾配となるように傾斜面を形成して排水機能を持たせると共に、前記覆い板に設けた開口部３０を塞ぐ墓石１７の底面部に、前記傾斜面の下向き勾配に対応する逆向き(上向き)勾配の切削面１７ｅを設け、前記墓石１７を傾斜面を有する前記覆い板に対し、鉛直になるように立設固定した。【選択図】図５
2006328815.tif 000002
【特許請求の範囲】
【請求項１】
墓建立の基礎面上に位置決めされた胴石によってほぼ矩形枠状に形成された内部空間を、一対の骨堂壁で左右に仕切り、左，右内部中空部及び中央空間部を設け、該中央空間部を納骨堂とし、前記それぞれの内部中空部及び納骨堂の上方を覆い板及び墓石で塞ぐようにした外柵を備えた墓において、  
前記胴石及び前記一対の骨堂壁で左右に仕切られた左，右内部中空部及び中央空間部の上面開口を塞ぐ前記覆い板の上面を、後部側から前部側に向けて下向き勾配となるように傾斜面を形成して排水機能を持たせると共に、前記覆い板に設けた開口を塞ぐ墓石の底面部に、前記傾斜面の下向き勾配に対応する逆向き(上向き)勾配の傾斜面を設け、前記墓石を傾斜面を有する前記覆い板に対し、鉛直になるように立設固定したことを特徴とする排水・耐震機能を備えた墓。
【請求項２】
基礎上に、後部側より前部側に向けて次第に下向き勾配となる上面高さ寸法の異なる胴石を平面ほぼ矩形枠状に配設し、この矩形枠状の区画内に上面を前記胴石と面一にした納骨堂を形成する石材製の左，右一対の骨堂壁を前記基礎上に設け、前記骨堂壁の各前，後端をそれぞれ、胴石の正面壁および背面壁の内面にそれぞれ固定し、前記胴石と各骨堂壁との間の上面及び納骨堂の正面側端部と背面側端部の各上面を塞ぐ石材製の正，背面側覆い板と、前記胴石と各骨堂壁との間の上面を塞ぐ石材製の左，右面側覆い板とを、前記胴石および骨堂壁上にそれぞれ前下がり状態に傾斜させて支持固定しことを特徴とする請求項１に記載の排水・耐震機能を備えた墓。
【請求項３】
前記胴石上面に配設される各覆い板の板厚を、後部側から前部側に向けて次第に薄くすることで、覆い板の上面に下向き勾配の傾斜面を形成するようにしたことを特徴とする請求項１に記載の排水・耐震機能を備えた墓。
【請求項４】
基礎上に、後部側より前部側に向けて次第に下り勾配を持つように上面を異なる高さ寸法とした胴石４を平面ほぼ矩形枠状に配設し、この矩形枠状の区画内に上面を前記胴石と面一にした納骨堂を形成する石材製の左，右一対の骨堂壁を前記基礎上に設け、前記骨堂壁の各前，後端をそれぞれ、胴石の正面壁および背面壁の内面にそれぞれ固定し、前記胴石と各骨堂壁との間の上面及び納骨堂の正面側端部と背面側端部の各上面を塞ぐ石材製の正，背面側覆い板と、前記胴石と各骨堂壁との間の上面を塞ぐ石材製の左，右面側覆い板とを胴石および骨堂壁上にそれぞれ前下がり状態に傾斜させて支持固定し、かつ前記正，背面側覆い板及び左，右面側覆い板同志を連結金具にてそれぞれ固定すると共に、前記背面側覆い板の正面側の一部及び前記左，右面側覆い板の対向面の一部を切欠いて開口部を形成し、該開口部には、墓石の下台下面に形成したほぞを嵌合させて載置し、該開口部の正面側には前記納骨堂と連通する納骨入口部を設け、該納骨入口部には着脱可能な香炉台を載置して前記納骨堂の上面を閉塞すると共に、前記覆い板上面に載置される墓石の下台下面及び香炉台の底面部には覆い板上面の下向き傾斜勾配に対応する逆向き(上向き)の傾斜勾配の切削面を設け、前記墓石及び香炉台を、傾斜面を有する前記覆い板に対し、鉛直になるように立設固定したことを特徴とする請求項１に記載の排水・耐震機能を備えた墓。
【請求項５】
前記墓石は下台，中台，上台、棹石をこの順に上方に順次重ねてなり、各接合部にはそれぞれ所定の間隔で対応配設され取付孔に配設した複数の連結棒を接着剤を介して固定されるようになっていることを特徴とする請求項１に記載の排水・耐震機能を備えた墓。
【請求項６】
前記墓石は下台，中台，上台、棹石をこの順に上方に順次重ねてなり、各接合部はそれぞれ接着剤を介してほぞ結合によって固定されるようになっていることを特徴とする請求項１に記載の排水・耐震機能を備えた墓。
【請求項７】
前記背面側覆い板及び前記左，右面側覆い板の切欠部によって形成されるほぼ矩形状の開口部の内周縁部とほぞ結合される墓石の下台ほぞとの間に衝撃緩衝吸収材及び接着剤からなるシールを介在させたことを特徴とする請求項１に記載の排水・耐震機能を備えた墓。
【請求項８】
前記納骨堂と連通する納骨入口部に着脱可能に配設される骨蓋または香炉台のいずれか一方の底面部には覆い板上面の下向き傾斜勾配に対応する逆向き(上向き)傾斜勾配の切削面とほぞとを設け、前記覆い板に対し、鉛直になるようにして前記納骨入口部の開口周縁部とほぞ結合されるようにしたことを特徴とする請求項１に記載の排水・耐震機能を備えた墓。
【発明の詳細な説明】
【技術分野】
【０００１】
この発明は、墓の胴石によってほぼ矩形枠状に形成された内部空間を一対の骨堂壁で左右方向に仕切り左，右に内部中空部及び中央空間部を設け、該中央空間部を納骨堂とし、前記それぞれの内部中空部及び納骨堂の上方を覆い板と墓石で塞ぐようにした外柵を備えた耐震性の優れた墓の改良に係り、特に、それぞれの内部中空部及び納骨堂の上方を覆う、覆い板の水平上面に残る雨水等の排水がスムーズに行えるようにした排水・耐震機能を備えた墓に関するものである。
【背景技術】
【０００２】
外柵内に墓石を設け、墓石下方の外柵内に納骨堂を形成した大型の墓が一般に用いられるようになっている。
本願発明者は、先に特公平８―６５０５号によって、寒冷地でも冬期に凍害が発生せず、長年にわたって使用でき、強度も大きい上に、夏期などに外柵の胴石と骨堂壁との間の部分に草が生えないように改良した外柵を備えた墓を提供しており、さらには、前記従来の外柵を備えた墓に耐震機能を持たせるように改良した特開２００５−８３０４４号を提供している。
【０００３】
改良された上記発明にあっては、図８〜図１０に示すように、基礎２上に平面ほぼ矩形枠状に胴石４を設け、この胴石４内に納骨堂６を形成する石材製の骨堂壁５を前記基礎２上に設け、骨堂壁５の左，右側面板５ｂを胴石４の正面壁４ａおよび背面壁４ｃの内面にそれぞれ固定し、前記納骨堂６の正面側端部の納骨入口部３１を塞ぐ石材からなる香炉台１６及び左右の花立１８が載る骨蓋１６ａを骨堂壁５の正面側端部上に移動可能に支持し、胴石４と骨堂壁５との間および納骨堂６の背面側端部の上面を塞ぐ石材製の覆い板２５を胴石４および骨堂壁５上に支持固定し、胴石４と骨堂壁５との間に形成した密閉空間部２６の上部開口は左右の覆い板２３によって覆い、かつ前記骨堂壁５上の前記骨蓋１６ａよりも前側は覆い板２４で、さらには背面側部分上に覆い板２５と墓石１７によって納骨堂６の上面を密閉したものである。図中符号２８はＬ字金具、３３は鎹、３４は連結金具を示す。
【０００４】
また、組立強度が大きくなるように、覆い板２３，２５上の納骨堂の上方開口部を塞ぐ墓石１７の下台１７ａ底面に形成したほぞ１７ｆを介して、前記開口部の内周縁部とほぞ結合すると共に、前記墓石１７を構成する下台１７ａ、中台１７ｂ、上台１７ｃ、棹石１７ｄの各接合面に所定間隔でステンレスなどの不錆鋼材の連結棒４２及び接着剤を配して互いに連結することで、震度５〜７程度の地震に充分耐えることのできる耐震性の優れた耐震構造を備えた墓を提供している。
【特許文献１】特公平８−６５０５号公報
【特許文献２】特開２００５−８３０４４号公報
【発明の開示】
【発明が解決しようとする課題】
【０００５】
従来の発明によると、胴石４と骨堂壁５との間の上面を覆い板２３〜２５で塞ぎ、かつ胴石４と骨堂壁５との間に密閉空間部２６を形成したので、この空間部２６内に雨水や雪融け水などが入り込むことがなく、また胴石４と骨堂壁５との間に土を充填していないので、覆い板２３〜２５上に草が生えることがなく、水の凍結による体積の膨張もなく、胴石４や骨堂壁５にひび割れやこれらの変形が生じない。
【０００６】
そして、納骨堂６は外側面を骨堂壁５によって囲み、上面を骨蓋１６ａ、覆い板２３〜２５、墓石１７によって覆い、外側面および上面を密閉するようにしているので、納骨堂６内に水が入り込むことも防止できる。したがって、この改良発明の外柵を備えた墓は、凍害の発生を防止できる。
【０００７】
しかるに、前記外柵の上面を覆う覆い板２３〜２５の上面は、墓石１７を垂直に建立するように、水平状態に形成されている。したがって、覆い板２３〜２５の水平上面に、雨水等が排水されずに表面張力が働いて水滴として残り、この水滴に塵埃が混入することで、水滴が日光によって蒸発乾燥された後では覆い板の上面が汚れ、外観上の見栄えが悪くなってしまう。  
【０００８】
この発明は、前述した問題点を解決して、密閉状状態に配設した覆い板の水平上面を前方が下向きになる傾斜勾配とした傾斜面を形成し、該覆い板上面に雨水等の排水機能を持たせるようにした排水・耐震機能を備えた墓を提供することを目的とする。
【課題を解決するための手段】
【０００９】
この発明による排水・耐震機能を備えた墓は、墓建立の基礎面上に位置決めされた胴石によってほぼ矩形枠状に形成された内部空間を、一対の骨堂壁で左右に仕切り、左，右内部中空部及び中央空間部を設け、該中央空間部を納骨堂とし、前記それぞれの内部中空部及び納骨堂の上方を覆い板及び墓石で塞ぐようにした外柵を備えた墓において、前記胴石及び前記一対の骨堂壁で左右に仕切られた左，右内部中空部及び中央空間部の上面開口を塞ぐ前記覆い板の上面を、後部側から前部側に向けて下向き勾配となるように傾斜面を形成して排水機能を持たせると共に、前記覆い板に設けた開口を塞ぐ墓石の底面部に、前記傾斜面の下向き勾配に対応する逆向き(上向き)勾配の傾斜面を設け、前記墓石を傾斜面を有する前記覆い板に対し、鉛直になるように立設固定したことを特徴とする。
【００１０】
請求項２の発明は、請求項１記載の排水・耐震機能を備えた墓において、基礎上に、後部側より前部側に向けて次第に下向き勾配となる上面高さ寸法の異なる胴石を平面ほぼ矩形枠状に配設し、この矩形枠状の区画内に上面を前記胴石と面一にした納骨堂を形成する石材製の左，右一対の骨堂壁を前記基礎上に設け、前記骨堂壁の各前，後端をそれぞれ、胴石の正面壁および背面壁の内面にそれぞれ固定し、前記胴石と各骨堂壁との間の上面及び納骨堂の正面側端部と背面側端部の各上面を塞ぐ石材製の正，背面側覆い板と、前記胴石と各骨堂壁との間の上面を塞ぐ石材製の左，右面側覆い板とを、前記胴石および骨堂壁上にそれぞれ前下がり状態に傾斜させて支持固定しことを特徴とする。
【００１１】
請求項３の発明は、請求項１または２に記載の排水・耐震機能を備えた墓において、前記各覆い板の板厚を、後部側から前部側に向けて次第に薄くすることで、下向き勾配の傾斜面を形成したことを特徴とする。
【００１２】
請求項４の発明は、請求項１に記載の排水・耐震機能を備えた墓において、基礎上に、後部側より前部側に向けて次第に下り勾配を持つように上面を異なる高さ寸法とした胴石４を平面ほぼ矩形枠状に配設し、この矩形枠状の区画内に上面を前記胴石と面一にした納骨堂を形成する石材製の左，右一対の骨堂壁を前記基礎上に設け、前記骨堂壁の各前，後端をそれぞれ、胴石の正面壁および背面壁の内面にそれぞれ固定し、前記胴石と各骨堂壁との間の上面及び納骨堂の正面側端部と背面側端部の各上面を塞ぐ石材製の正，背面側覆い板と、前記胴石と各骨堂壁との間の上面を塞ぐ石材製の左，右面側覆い板とを胴石および骨堂壁上にそれぞれ前下がり状態に傾斜させて支持固定し、かつ前記正，背面側覆い板及び左，右面側覆い板同志を連結金具にてそれぞれ固定すると共に、前記背面側覆い板の正面側の一部及び前記左，右面側覆い板の対向面の一部を切欠いて開口部を形成し、該開口部には、墓石の下台下面に形成したほぞを嵌合させて載置し、該開口部の正面側には前記納骨堂と連通する納骨入口部を設け、該納骨入口部には着脱可能な香炉台を載置して前記納骨堂の上面を閉塞すると共に、前記覆い板上面に載置される墓石の下台下面及び香炉台の底面部には覆い板上面の下向き傾斜勾配に対応する逆向き(上向き)の傾斜勾配の切削面を設け、前記墓石及び香炉台を、傾斜面を有する前記覆い板に対し、鉛直になるように立設固定したことを特徴とする。
【００１３】
請求項５の発明は、請求項１記載の排水・耐震機能を備えた墓において、前記墓石は下台，中台，上台、棹石をこの順に上方に順次重ねてなり、各接合部にはそれぞれ所定の間隔で対応配設され取付孔に配設した複数の連結棒を接着剤を介して固定されるようになっていることを特徴とする。
【００１４】
請求項６の発明は、請求項１記載の排水・耐震機能を備えた墓において、前記墓石は下台，中台，上台、棹石をこの順に上方に順次重ねてなり、各接合部はそれぞれ接着剤を介してほぞ結合によって固定されるようになっていることを特徴とする。
【００１５】
請求項７の発明は、請求項１記載の排水・耐震機能を備えた墓において、前記背面側覆い板及び前記左，右面側覆い板の切欠部によって形成されるほぼ矩形状の開口部の内周縁部とほぞ結合される墓石の下台ほぞとの間に衝撃緩衝吸収材及び接着剤からなるシールを介在させたことを特徴とする。
【００１６】
請求項８の発明は、請求項１記載の排水・耐震機能を備えた墓において、前記納骨堂と連通する納骨入口部に着脱可能に配設される骨蓋または香炉台のいずれか一方の底面部には覆い板上面の下向き傾斜勾配に対応する逆向き(上向き)傾斜勾配の切削面とほぞとを設け、前記覆い板に対し、鉛直になるようにして前記納骨入口部の開口周縁部とほぞ結合されるようにしたことを特徴とする。
【発明の効果】
【００１７】
この発明は、墓建立の基礎面上に位置決めされる胴石によってほぼ矩形枠状に形成された内部空間を、一対の骨堂壁で左右に仕切り、左，右内部中空部及び中央空間部を設け、該中央空間部を納骨堂とし、前記それぞれの内部中空部及び納骨堂の一部上方を覆い板及び墓石で塞ぐようにした外柵を備えた墓において、前記胴石及び前記一対の骨堂壁で左右に仕切られた左，右内部中空部及び中央空間部の上面開口を塞ぐ前記覆い板の上面を、後部側から前部側に向けて下向き傾斜勾配となるように設置し、覆い板の上面を、前方に向けて傾斜させて排水機能を持たせた傾斜面とすると共に、前記覆い板に設けた開口を塞ぐ墓石の底面部に、前記傾斜面の下向き傾斜勾配に対応する逆向き(上向き)の傾斜勾配の切削面を設け、前記墓石を傾斜面を有する前記覆い板に対し、鉛直になるように立設固定した構成としたので、以下のような効果がある。
【００１８】
すなわち、この発明の墓は、密閉状の水平面に形成されている覆い板の上面を前方方向の下向きに傾斜勾配とした傾斜面を形成し、該覆い板上面に雨水等の排水機能を持たせるようにしたので、覆い板の上面に、雨水等が排水されずに表面張力が働いて水滴として残ることがなく、したがって、この水滴に塵埃が混入したりして覆い板の上面が汚染されてしまうというようなことはなくなる。  
【００１９】
胴石と骨堂壁との間の上面を塞ぐ覆い板を有し、胴石と骨堂壁との間に密閉空間部を形成したので、この空間部内に雨水や雪融け水などが入り込むことがなく、また胴石と骨堂壁との間に土を充填していないので、覆い板上に草が生えることがなく、水の凍結による体積の膨張もなく、胴石や骨堂壁にひび割れやこれらの変形が生じない。
【００２０】
納骨堂は外側面を骨堂壁によって囲み、上面を香炉台、覆い板、墓石によって覆い、外側面および上面を密閉したので、納骨堂内に水が入り込むことも防止できる。したがって、この発明の外柵を備えた墓は、凍害の発生を防止できる。
【００２１】
さらに、矩形枠状の胴石上面に配設される各覆い板同志は連結金具で強固に固定されると共に、覆い板に形成される開口部には墓石の下台の底面に形成したほぞを介して互いにほぞ結合とし、かつ覆い板の傾斜勾配に対して逆向きの傾斜勾配を有する傾斜面を形成したので、墓石が傾斜面を有する覆い板の上面に鉛直に設置でき、地震などによる左右横方向及び前後方向への移動が阻止されると共に、胴石と骨胴壁で形成される左右の密閉中空部に土が充填されていないことよって、振動が遮断され、強度が大きく、かつ耐震性に優れ長年月にわたって使用できる。
【発明を実施するための最良の形態】
【００２２】
本実施例の最良の形態では、ほぼ矩形枠状の上面開口を塞ぐ覆い板同志を互いに連結金具により固定すると共に、前記覆い板を後部側より前部側に向けて下がる傾斜面を形成し、墓石の下台底面にはすべり防止手段としてのほぞを形成し、覆い板開口縁部と墓石下台とを衝撃緩衝材及び接着剤を介してほぞ結合すると共に、前記突出ほぞを除く下台底面には前記の下向き傾斜勾配に対応する逆向き傾斜勾配を持つ切削面を形成し、前記墓石下台を覆い板の開口部に設置した状態では鉛直となるようにしたものである。また前記納骨堂に通じる納骨入口部には、墓石と同様に底面に逆向の傾斜勾配を持つ切削面を形成した香炉台を配設して密封シールを介して嵌合することで香炉台を傾斜する覆い板の上面に鉛直に設置できるようにしたものである。
【実施例１】
【００２３】
以下、この発明の実施例１につき図１ないし図６を参照して説明する。これらの図において、前述した図８，図９および図１０と同一符号は対応する部分を示す。
図１は本発明に係る排水・耐震機能を備えた墓の第１実施例を示す要部を切欠いて示す分解斜視図、図２は図１の矩形枠状に配設した胴石を示す平面図，図３は図１の胴石上面開口を塞ぐ覆い板の結合状態を示す斜視図。図４は側面側より見た要部側面図、図５は側面側より見た要部縦断面図、図６組み立て完成斜視図である。
【００２４】
本発明の実施例によれば、基礎２上に、後部側より前部側に向けて次第に下降する下向きの傾斜勾配を有する傾斜面となるように異なる高さ寸法とした胴石４を平面ほぼ矩形枠状に設け、この矩形枠状の区画内に上面を前記胴石４と面一にした納骨堂６を形成する石材製の左，右一対の骨堂壁５，５を前記基礎２上に設け、前記骨堂壁５，５の各前，後端をそれぞれ、胴石４の正面壁４ａおよび背面壁４ｃの内面にそれぞれ固定し、前記胴石４と各骨堂壁５，５との間の上面及び納骨堂６の正面側端部と背面側端部の各上面を塞ぐ石材製の正，背面側覆い板２４，２５と、前記胴石４と各骨堂壁５との間の上面を塞ぐ石材製の左，右面側覆い板２３，２３とを胴石４および骨堂壁５上にそれぞれ前下がり状態に傾斜させて支持固定し、かつ前記正，背面側覆い板２４，２５及び左，右面側覆い板２３同志を鎹３３などの連結金具３４にてそれぞれ固定すると共に、前記背面側覆い板２５の正面側の一部及び前記左，右面側覆い板２３，２３の対向面の一部を切欠いて開口部３０を形成し、該開口部３０には、墓石１７の下台１７ａ下面に形成したほぞ１７ｆを嵌合させて載置し、該開口部３０の正面側には前記納骨堂６と連通する納骨入口部３１を設け、該納骨入口部３１には着脱可能な香炉台１６を載置して前記納骨堂６の上面を閉塞すると共に、前記覆い板２３，２３上面に載置される墓石１７の下台１７ａほぞ１７ｆをのぞく底面部及び香炉台１６の底面部１６ｂには覆い板２３〜２５の下向き傾斜勾配に対応する逆向き(上向き)の傾斜勾配を有する切削面１７ｅ，１６ｅを設け、前記墓石１７及び香炉台１６を、傾斜面を有する前記覆い板２３〜２５に対し、鉛直になるように立設固定したものである(図５参照)。
【００２５】
本発明における第１実施例では、前記胴石４，左右一対の側面壁４ｂ，４ｂ，背面壁４ｃ，正面壁４ａ，骨堂壁５，５の高さは、後部側の背面壁４ｃから前方の正面壁４ａに行くにつれて次第に低くなる傾斜勾配を有するもので、例えば基礎からの高さが３３ｃｍの胴石である場合は、傾斜勾配は１００／1ｍｍ〜１００／５ｍｍ、好ましくは１００／３ｍｍの傾斜勾配とする。
【００２６】
傾斜状況は、図４および図５によく見られるように、前記正，背面側覆い板２４，２５及び左，右面側覆い板２３の板厚Ａ，Ｂが一定である場合、前記胴石４と各骨堂壁５，５の基礎面からの高さ寸法を、後部側Ｈ１から前部側Ｈ２に向けて次第に低くすることで、前記上面に密閉される覆い板２３〜２５の上面が前下がりの傾斜面となり雨水等を排水可能としている。
【００２７】
そして、この傾斜された覆い板２３〜２５の上面に立設される納骨堂６の開口部３０を塞ぐ墓石１７及び納骨入口３１を塞ぐ香炉台１６の底面部１６ｂには、それぞれ覆い板２３〜２５上面の下向き傾斜勾配に対応する逆向き(上向き)の傾斜勾配の切削面１７ｅ，１６ｅを設け、前記墓石１７及び香炉台１６を、傾斜面を有する前記覆い板２３〜２５に対し、鉛直になるように立設固定したものである。
【００２８】
そして、前記骨堂壁５，５は、正面側端および背面側端を胴石４の正面壁４ａおよび背面壁４ｃの内面にそれぞれ支持固定してある。また、納骨堂６は、上面を開放し、下面が基礎２に開口２ａ（図５参照）を介して構築面の土２１に連通させてあり、開口２ａを含む納骨堂６内の底部には盲暗渠用の砂を敷設してある。
【００２９】
又、図２，図３によく見られるように、前記胴石４の左，右側面壁４ｂと骨堂壁５，５の上には上石を兼ねた左，右覆い板２３を、Ｌ字金具２８、鎹３３等の連結金具３４によってそれぞれ下向きの傾斜状態で支持固定し、左，右覆い板２３の背面側部分間には上石を兼ねた背面側覆い板２５を配設し、また、この覆い板２５を胴石４の左，右側面壁４ｂと背面壁４ｃと骨堂壁５，５の背面側端上に支持固定してある。更に、前記胴石４の左，右側面壁４ｂの正面側端部と骨堂壁５の正面側端部とに正面側覆い板２４を支持固定し、これら各覆い板２３〜２５は互いにＬ字金具２８、鎹３３等の連結金具３４によってそれぞれ固定されている。
前記骨堂壁５の左，右側面板５ｂと胴石４の左，右側面壁４ｂとの間に、これらと基礎２、左，右覆い板２３および正，背面側覆い板２４，２５とで囲んだ左，右密閉中空部２６を形成してある。
【００３０】
図３に良く見られるように、前記左，右の覆い板２３の背面側端部の対向面は、前記骨堂壁５，５の対向内面とほぼ面一となる切欠部２３ａを有し、且つ正面側端部の対向間隔は骨堂壁５，５の内面より僅かに突出させて後述の納骨入口部３１と成る空間部を設けて配設してある。また前記背面側覆い板２５の骨堂壁５，５間には僅かに切り込んだ凹部２５ａが形成され、前記左，右覆い板２３の切欠部２３ａと覆い板２５の凹部２５ａとによって、前記納骨入口部３１を除いた矩形枠状の開口部３０を形成し、この開口部３０に墓石１７の下台１７ａが密接状態に配設されるようになっている。また、前記正面側端部に形成される納骨堂６へ連通する納骨入口部３１には香炉台１６が着脱可能に配設され、納骨堂６の入口部３１を覆っている。
【００３１】
また、前記墓石１７の下台１７ａの底面にはすべり防止手段としてのほぞ１７ｆが突出形成されており、前記矩形枠状の開口部３０の内周縁部３０ａに弾性を有する衝撃緩衝吸収部材４０及び接着材を介してほぞ結合されるようになっている。さらに、前記墓石１７の下台１７ａの底面には、前記覆い板が傾斜する勾配角度に対応する逆向き（上向き）の傾斜勾配を有する切削面１７ｅが形成されており、前記開口部３０に墓石１７の底部を結合した状態では、墓石１７が傾斜面に対して鉛直状態に結合されるようになる。
【００３２】
なお、本発明では振動による墓石１７の前，後方向及び左，右方向の滑りを左，右覆い板２３，背面側覆い板２５によって防止できる構成となっている。
また、前記ほぞ結合される開口部３０の内周縁部３０ａと下台１７ａのほぞ結合部には、弾性部材よりなる複数の衝撃吸収部材４０と接着剤が設けられ、ほぞ結合部への急激な圧力を緩和するようになっている。
そして、前記各覆い板２３，２４，２５同志はステンレス製など錆びに強いＬ字金具２８、鎹３３等の連結金具３４によって、前記胴石４及び骨胴壁５と強固に結合されている。
【００３３】
前記下台１７ａ、中台１７ｂ、上台１７ｃ及び上層の棹石１７ｄの各接合面には、それぞれの対応位置に複数の取付孔４２が形成され、好ましくは２本〜４本のステンレス製の連結棒４１を前記取付孔４２内に嵌合し、接着剤を介して前記接合面同士を固定するようにしている。
【００３４】
なお、変形例として  前記下台１７ａ、中台１７ｂ、上台１７ｃ及び上層の棹石１７ｄの各接合面には、それぞれの対応位置を互いにほぞ結合構造とすることも勿論可能である。
なお、前記納骨堂６を形成する背面壁４ｃ及び正面壁４ａにはそれぞれ外気と連通する通気孔５０を形成することで、納骨堂６内の湿気を喚気できる。
【００３５】
図６は本発明の墓の完成図で、左，右覆い板２３及び背面側覆い板２５の左，右端部上にはそれぞれ左，右袖石８を固定し、背面側覆い板２５の背面側端部上には左，右屏風１３及び両屏風１３間に介在させた塔婆立て１２を立設してある。左，右袖板８、塔婆立て１２の下縁部にはこれらの長手方向中央部に排水用の連通孔（図示せず）がそれぞれ形成してある。左，右袖石８の正面側端に当接する左，右門柱９を基礎２上に立設し、左，右門柱９間に従来の階段に替えてすべり防止加工を施した前方側に下向きに傾斜する敷石４３を設けてある。
【００３６】
そして、左，右覆い板２３、正面側覆い板２４と左，右袖石８との固定を、これらに相対向して穿った孔または切欠に嵌めたボルト状の棒または板からなる連結金具３４によって補強し、同様に連結金具３４を用いて、左，右覆い板２３と屏風１３、背面側覆い板２５と塔婆立て１２、左，右門柱９と敷石４３との固定も補強してある。
なお、連結金具３４は、これらを孔または切欠に固定するために、これらにセメントで埋込んでもよい。
また、香炉台１６の左右に配設される花立１８は、前記左，右覆い板２３の前面端側に接着剤を介して固定するようにしているため耐震性が向上できる。
【００３７】
また、実施例の各構成部材は、シリコーン樹脂などの対候性接着剤により接着固定し、納骨堂６および前記中空部２６内には、外部から水が入り込まないように、胴石４、骨堂壁５の構成部材およびこれらと当接する部材を接着してある。
【００３８】
以上のように構成した第１実施例は、胴石４の正面壁４ａ及び背面壁４ｃ及び一対の骨胴壁５，５に配設される覆い板２３〜２５によって形成される開口部３０及び納骨入口部３１に墓石１７及び着脱可能な香炉台１６をほぞ結合によって支持固定した構成としたので、振動による墓石１７及び香炉台１６の前後，左右方向への滑り現象による移動を防止でき、耐震性の優れた強固な墓を造ることができる。
【００３９】
また、この実施例では、不錆鋼材からなるＬ字（コーナー）金具２８、ボルトナット、鎹３３などの連結金具３４を用いて、胴石４、覆い板２３〜２５及び墓石１７の構成石材の固定部を補強したので、地震に対する強度が大きく、とくにコーナーＬ字金具２８を用いて、胴石４、骨堂壁５を補強しているので、密閉中空部２６、納骨堂６が変形しにくい。
【００４０】
なお、コーナーＬ字金具２８、鎹３３などの連結金具３４による補強箇所は図示のものに限られるものではなく、増減など適宜変更できる。
【００４１】
この発明において、袖石８の一部を除去して法名碑８ａを設けるなど、適宜の部材を付加したり、塔婆立て、門柱および墓石の構成を変更したりすることができ、また左右一対の骨堂壁５，５間の背面側端部及び正面側端部に補強板を設けて、納骨壁５，５の強度を向上させることもできる。
【実施例２】
【００４２】
図７は本発明の第２実施例を示すもので、第１実施例では、前記覆い板２３〜２５の上面に、後部側から前部側に向けて下向き傾斜勾配となるように傾斜面を形成して排水機能を持たせるために、胴石４および骨堂壁５，５の基礎からの立設高さを、後部側から前部側に向けて次第に低くすることで、覆い板２３〜２５の上面に、前方下さがりの傾斜勾配を有する傾斜面とするようにしたが、第２実施例では、前記前記覆い板２３〜２５の板厚寸法Ａ１，Ｂ１をＡ１＞Ｂ１となるように板上面を研磨等によって変化させることで、覆い板２３〜２５に前方下がりの傾斜面を形成でき覆い板上面の雨水等の排水を行うことが出来る。  
勿論、前記墓石１７の下台１７ａの底面には、前記覆い板が傾斜する勾配角度に対応する逆向き（上向き）の傾斜勾配を有する切削面１７ｅが形成されており、前記開口部３０に墓石１７の底部を結合した状態では、墓石１７が傾斜面に対して鉛直状態に結合されるようになる。
【００４３】
前記以外の構成は、前述の第１実施例と同様なので、同一部分には同一符号を付してその説明は省略する。
【図面の簡単な説明】
【００４４】
【図１】本発明に係る排水・耐震機能を備えた墓の第１実施例を示す要部を切欠いて示す分解斜視図。
【図２】図１の矩形枠状に配設した胴石を示す平面図。
【図３】図１の胴石上面開口を塞ぐ覆い板の結合状態を示す斜視図。
【図４】本発明に係る排水・耐震機能を備えた墓の左方より見た要部左側面図。
【図５】右側面より見た要部縦断面図
【図６】本発明の排水・耐震機能を備えた墓の完成図。
【図７】本発明に係る排水・耐震機能を備えた墓の第２実施例を示す、覆い板の結合状態を示す斜視図。
【図８】従来の外柵を備えた墓の一部切欠き斜視図。
【図９】従来の外柵を備えた墓の平面図。
【図１０】従来の外柵を備えた墓の組み立て完成図。
【符号の説明】
【００４５】
２    基礎
３    外柵
４    胴石
４ａ  正面壁
４ｂ  左，右側面壁
４ｃ  背面壁
５    左，右骨堂壁
６    納骨堂
８    袖石
９    門柱
１２    塔婆立て
１３    屏風
１６    香炉台
１６ａ  ほぞ
１７    墓石
１７ａ  下台
１７ｂ  中台
１７ｃ  上台
１７ｄ  棹石
１７ｆ  ほぞ
１８    花立て
２３    左，右覆い板
２４    正面側覆い板
２５    背面側覆い板
２６    密閉空間部
２８    L字（コーナー）金具
３０    開口部
３０ａ  内周縁部
３１    納骨入口部
３３    鎹
３４    連結金具
４１    連結棒
４２    取付孔
４３    敷石
５０    通気孔
【図１】
2006328815.tif 000003
【図２】
2006328815.tif 000004
【図３】
2006328815.tif 000005
【図４】
2006328815.tif 000006
【図５】
2006328815.tif 000007
【図６】
2006328815.tif 000008
【図７】
2006328815.tif 000009
【図８】
2006328815.tif 000010
【図９】
2006328815.tif 000011
【図１０】
2006328815.tif 000012